(57)【要約】【課題】封入物の秘密を守ることができ、誤封入を低減させた封書作製方法及び封書作製装置を提供する。【解決手段】顧客宛名を含む封筒印刷情報１２ｃと、顧客に伝達する伝達情報を含む封入物印刷情報２５ｃを第一の連続紙１０の長手方向に印刷する第一の印刷工程と、第一の連続紙を、封筒印刷情報が印刷された範囲で切断して封筒作製用紙１２を作製して封筒搬送ラインに搬出し、さらに封入物印刷情報が印刷された範囲で切断して封入物２５を作製して封入物搬送ラインに搬出する第一の切断工程と、封筒搬送ラインで封筒作製用紙から封筒を作製する封筒作製工程と、封筒搬送ラインから搬出される封筒に、封入物を封入封緘する封入封緘工程とを備える。【選択図】図３
2011161933.tif 000002
【特許請求の範囲】
【請求項１】
顧客宛名を含む封筒印刷情報と、前記顧客に伝達する伝達情報を含む封入物印刷情報を第一の連続紙の長手方向に印刷する第一の印刷工程と、
前記第一の連続紙を、前記封筒印刷情報が印刷された範囲で切断して封筒作製用紙を作製して封筒搬送ラインに搬出し、さらに前記封入物印刷情報が印刷された範囲で切断して封入物を作製して封入物搬送ラインに搬出する第一の切断工程と、
前記封筒搬送ラインで前記封筒作製用紙から封筒を作製する封筒作製工程と、
前記封筒搬送ラインから搬出される前記封筒に、前記封入物を封入封緘する封入封緘工程とを備えることを特徴とする封書作製方法。
【請求項２】
請求項１に記載の封書作製方法において、
前記第一の印刷工程では、同一顧客に対する前記封筒印刷情報と前記封入物印刷情報を連続して印刷することを特徴とする封書作製方法。
【請求項３】
請求項１または請求項２に記載の封書作製方法において、
前記封入物が前記封筒より大きい場合には、前記封入物搬送ラインで前記封入物を前記封筒に入る大きさに折る封入物整形工程を更に備えることを特徴とする封書作製方法。
【請求項４】
顧客宛名を含む封筒印刷情報と、前記顧客に伝達する伝達情報を含む封入物印刷情報を第一の連続紙の長手方向に印刷する第一の印刷手段と、
前記第一の連続紙を、前記封筒印刷情報が印刷された範囲で切断して封筒作製用紙を作製して封筒搬送ラインに搬出し、さらに前記封入物印刷情報が印刷された範囲で切断して封入物を作製して封入物搬送ラインに搬出する第一の切断手段と、
前記封筒搬送ラインで前記封筒作製用紙から封筒を作製する封筒作製手段と、
前記封筒搬送ラインから搬出される前記封筒に、前記封入物を封入封緘する封入封緘手段とを備えることを特徴とする封書作製装置。
【請求項５】
請求項４に記載の封書作製装置において、
前記第一の印刷手段では、同一顧客に対する前記封筒印刷情報と前記封入物印刷情報を連続して印刷することを特徴とする封書作製装置。
【請求項６】
請求項４または請求項５に記載の封書作製装置において、
前記封入物が前記封筒より大きい場合には、前記封入物搬送ラインで前記封入物を前記封筒に入る大きさに折る封入物整形手段を更に備えることを特徴とする封書作製装置。
【発明の詳細な説明】
【技術分野】
【０００１】
本発明は、封書作製方法及び封書作製装置に関する。
【背景技術】
【０００２】
従来においては、販売店や銀行などが顧客に対し、購入料金や預金残高の明細や広告等を封入し封緘した封書を郵便物やダイレクトメールで配送している。
この種の封書の作成方法としては、長尺帳票の長手方向に個人の宛名とその個人に対する伝達情報とを連続して印刷し、この長尺帳票を幅方向に切断して宛名欄が表面に出るように集積し、封入物に印刷された宛名欄が窓開き封筒の窓から見えるように窓開き封筒に収納して封緘するものが知られている（例えば、特許文献１を参照）。
封入物には個人情報が含まれるので封入物の秘密保持には慎重を期す必要があるが、この技術によると、個人の宛名とその個人に対する伝達情報と連続して印刷するので、誤封入がなくなる。
【先行技術文献】
【特許文献】
【０００３】
【特許文献１】特開平５−１５５１８７号公報
【発明の概要】
【発明が解決しようとする課題】
【０００４】
しかしながら、前述した従来の封書作製方法では、窓開き封筒には封筒の表面を切り抜いた孔が開けられその孔に透明フィルムが貼り付けられているので、封入物の封入時の折れや透明フィルムの外れ等により、封入物の秘密保持に問題があった。
さらに従来の封書作製方法では、連続して印刷した封入物を集積し封入させるために、様々な大きさの封入物には対応できなかった。
【０００５】
本発明は、このような問題点に鑑みてなされたものであって、その目的とするところは、封入物の秘密を守ることができ、誤封入を低減させた封書作製方法及び封書作製装置を提供することである。また他の目的として、様々な大きさの封入物を作製することができる封書作製方法及び封書作製装置を提供することである。
【課題を解決するための手段】
【０００６】
上記課題を解決するために、この発明は以下の手段を提案している。
本発明の封書作製方法は、顧客宛名を含む封筒印刷情報と、前記顧客に伝達する伝達情報を含む封入物印刷情報を第一の連続紙の長手方向に印刷する第一の印刷工程と、前記第一の連続紙を、前記封筒印刷情報が印刷された範囲で切断して封筒作製用紙を作製して封筒搬送ラインに搬出し、さらに前記封入物印刷情報が印刷された範囲で切断して封入物を作製して封入物搬送ラインに搬出する第一の切断工程と、前記封筒搬送ラインで前記封筒作製用紙から封筒を作製する封筒作製工程と、前記封筒搬送ラインから搬出される前記封筒に、前記封入物を封入封緘する封入封緘工程とを備えることを特徴としている。
【０００７】
また、本発明の封書作製装置は、顧客宛名を含む封筒印刷情報と、前記顧客に伝達する伝達情報を含む封入物印刷情報を第一の連続紙の長手方向に印刷する第一の印刷手段と、前記第一の連続紙を、前記封筒印刷情報が印刷された範囲で切断して封筒作製用紙を作製して封筒搬送ラインに搬出し、さらに前記封入物印刷情報が印刷された範囲で切断して封入物を作製して封入物搬送ラインに搬出する第一の切断手段と、前記封筒搬送ラインで前記封筒作製用紙から封筒を作製する封筒作製手段と、前記封筒搬送ラインから搬出される前記封筒に、前記封入物を封入封緘する封入封緘手段とを備えることを特徴としている。
【０００８】
また、上記の封書作製方法において、前記第一の印刷工程では、同一顧客に対する前記封筒印刷情報と前記封入物印刷情報を連続して印刷することがより好ましい。
また、上記の封書作製装置において、前記第一の印刷手段では、同一顧客に対する前記封筒印刷情報と前記封入物印刷情報を連続して印刷することがより好ましい。
【０００９】
また、上記の封書作製方法において、前記封入物が前記封筒より大きい場合には、前記封入物搬送ラインで前記封入物を前記封筒に入る大きさに折る封入物整形工程を更に備えることがより好ましい。
また、上記の封書作製装置において、前記封入物が前記封筒より大きい場合には、前記封入物搬送ラインで前記封入物を前記封筒に入る大きさに折る封入物整形手段を更に備えることがより好ましい。
【発明の効果】
【００１０】
本発明によれば、封入物の秘密を守ることができ、誤封入を低減させた封書作製方法及び封書作製装置を提供することができる。
【図面の簡単な説明】
【００１１】
【図１】本発明の封書作製装置の第１実施形態の工程を示す説明図である。
【図２】本発明の封書作製装置の第１実施形態の工程を示す説明図である。
【図３】本発明の封書作製装置の第１実施形態のロール紙供給・印刷装置で印刷された後のロール紙の説明図である。
【図４】本発明の封書作製装置の第１実施形態で作製される封筒の展開形状である。
【図５】本発明の封書作製方法の第１実施形態のフローチャートである。
【図６】本発明の封書作製装置の第２実施形態の工程を示す説明図である。
【図７】本発明の封書作製装置の第２実施形態のロール紙供給・印刷装置で印刷された後の第一の連続紙の説明図である。
【図８】本発明の封書作製装置の第２実施形態のロール紙供給・印刷装置で印刷された後の第二の連続紙の説明図である。
【図９】本発明の封書作製方法の第２実施形態のフローチャートである。
【発明を実施するための形態】
【００１２】
以下で本発明を実施するのに好適な実施例について説明する。図１および図２は、本発明の封書作製装置の第１実施形態の工程を示す説明図である。
封書作製装置３０は、ロール紙１０に封筒コード１２ｂや封入物コード２５ｂ等を印刷する第一の印刷手段３１と、印刷されたロール紙１０を切断して封筒２０を作製するための封筒作製用紙１２と封筒２０に封入する封入物２５を作製する第一の切断手段３２と、封筒作製用紙１２から封筒２０を作製する封筒作製手段３４と、封筒２０に印刷された封筒コード１２ｂを読み取る封筒コード読み取り手段３５と、封入物２５に印刷された封入物コード２５ｂを読み取る封入物コード読み取り手段３７と、封入物２５を折る封入物整形手段３８と、封入物２５を集めて封入物集積体２６を形成する封入物集積手段３９と、封入物コード２５ｂを再度読み取る封入物コード読み取り予備手段３７ｂと、封筒２０に封入物集積体２６を封入し封緘して封書２８を作製する封入封緘手段４２と、後述する図示しない制御装置で構成されている。
【００１３】
制御装置は、第一の印刷手段３１、第一の切断手段３２、封筒作製手段３４、封入物整形手段３８、封入物集積手段３９及び封入封緘手段４２を制御し、封筒コード読み取り手段３５、封入物コード読み取り手段３７及び封入物コード読み取り手段３７に読み取らせたコードの情報を送信させる。
また、封筒搬送ライン４５ａ上で、封筒作製用紙１２が切断、折り曲げ及び糊付けの加工を施されて封筒２０が作製され、一方、封入物搬送ライン４５ｂ上で、封入物２５が折り曲げ加工を施され集積されて封入物集積体２６が作製される。
【００１４】
第一の印刷手段３１は、第一の連続紙であるロール紙１０を回転可能に支持するロール紙支持装置３１ａと、ロール紙１０を連続的に引き出しながらロール紙１０の長手方向に印刷するロール紙供給・印刷装置３１ｂとで構成される。
ロール紙供給・印刷装置３１ｂの印刷方式は、インクジェット方式等の連続紙の印刷に適した方式が用いられる。
【００１５】
図３はロール紙供給・印刷装置３１ｂで印刷された後のロール紙１０の説明図である。図３に示すように、制御装置はロール紙供給・印刷装置３１ｂに、封筒作製用紙１２を作製するための封筒印刷情報１２ｃと、封入物２５を作製するための封入物印刷情報２５ｃをロール紙１０の長手方向に繰り返し印刷させる。さらに同一の顧客に対する封筒印刷情報１２ｃと封入物印刷情報２５ｃをロール紙１０に連続して印刷させる。
また同一の顧客に配送される封入物２５が複数あるときは、後で詳しく説明するように、複数の封入物２５は封入物集積体２６にまとめられ、封筒２０に封入される。
【００１６】
印刷される封筒印刷情報１２ｃには、顧客の住所と氏名である顧客宛名１２ａと、封筒２０に記載された情報を装置に読み込ませるための封筒コード１２ｂが組になって含まれる。また印刷される封入物印刷情報２５ｃには、明細やちらし等の顧客に伝達する伝達情報２５ａと、封入物２５記載された情報を装置に読み込ませるための封入物コード２５ｂが組になって含まれる。
封入物コード２５ｂには、封入物２５がまとめられる封入物集積体２６を特定する封入物集積情報と、封入される封筒２０を特定する封筒情報が含まれる。また封筒コード１２ｂには封筒情報が含まれ、封筒２０に封入される封入物集積体２６が特定される。
ロール紙１０の幅は２９７ｍｍになっていて、ロール紙１０を切断することにより、日本工業規格のＡ３型である２９７ｍｍ×４２０ｍｍの用紙まで作り出すことができる。
【００１７】
図４は封書作製装置３０で作製される封筒２０の展開形状である。
この封筒展開形状２０ａは、１２０ｍｍ×２３５ｍｍの定形郵便物用のカマス型封筒を作製するための用紙形状である。この封筒展開形状２０ａから、サイドフラップ２０ｂを折り曲げてボトムフラップ２０ｃと糊付けして、封筒２０が作製される。そして作製した封筒２０に封入物集積体２６を封入して、トップフラップ２０ｄを折り曲げて糊付けして封書２８を作製する。封筒展開形状２０ａの外形は各フラップの形状を含めて、２６０ｍｍ×２８５ｍｍとなる。
ロール紙１０の廃棄する紙を少なくするために、封筒展開形状２０ａの外形の２８５ｍｍ側をロール紙１０の幅２９７ｍｍ方向から取るように配置されている。
【００１８】
そして上述した、ロール紙供給・印刷装置３１ｂで印刷された後のロール紙１０は、図１に示す第一の切断手段３２に搬送される。
第一の切断手段３２は、ロール紙供給・印刷装置３１ｂで印刷されたロール紙１０をロール紙１０の幅方向に切断して封筒作製用紙１２と封入物２５を作製するするシートカット装置３２ａと、作製された封筒作製用紙１２を封筒搬送ライン４５ａに、作製された封入物２５を封入物搬送ライン４５ｂに搬出する仕分け装置３２ｂとで構成される。
【００１９】
ここで図３を用いて、シートカット装置３２ａで切断されるロール紙１０について詳しく説明する。
シートカット装置３２ａはロール紙１０を、顧客宛名１２ａと封筒コード１２ｂが組になった封筒印刷情報１２ｃが印刷された範囲、つまりロール紙１０の長手方向の２８０ｍｍの長さで切断して、２８０ｍｍ×２９７ｍｍの封筒作製用紙１２を作製する。またロール紙１０を、伝達情報２５ａと封入物コード２５ｂが組になった封入物印刷情報２５ｃが印刷された範囲、つまりロール紙１０の長手方向の２１０ｍｍの長さで切断して、２１０ｍｍ×２９７ｍｍのＡ４型の封入物２５を作製する。
【００２０】
そして上述した、仕分け装置３２ｂで封筒搬送ライン４５ａに搬出された封筒作製用紙１２は、図２に示す封筒作製手段３４に搬送される。
封筒作製手段３４は、封筒作製用紙１２を封筒展開形状２０ａに切り落とす封筒型枠ダイカット装置３４ａと、封筒展開形状２０ａの各フラップを曲げるための筋を入れるフラップ用筋入装置３４ｂと、サイドフラップ２０ｂを内側に折り曲げるサイドフラップ折り装置３４ｃと、サイドフラップ２０ｂに糊を付けるサイドフラップ糊付け装置３４ｄと、糊を付けされたサイドフラップ２０ｂにボトムフラップ２０ｃを折り曲げて貼り付け封筒２０を作製するボトムフラップ折り装置３４ｅとで構成される。
【００２１】
一方、図２に示すように制御装置は、仕分け装置３２ｂで封入物搬送ライン４５ｂに搬出された封入物２５に印刷された封入物コード２５ｂを、封入物コード読み取り手段３７に読み取らせる。
読み取られた封入物コード２５ｂの情報が制御装置に送信されると、制御装置は、封入物コード２５ｂに含まれる封入物集積体を特定する封入物集積体情報と、封筒を特定する封筒情報を認識し、封入物２５がまとめられる封入物集積体２６と、封入物２５が封入される封筒２０を特定する。
【００２２】
つぎに封筒２０より大きい封入物２５は、封入物整形手段である封入物折り装置３８で二ツ折や巻き三ツ折に折られる。例えば封入物２５がＡ４型である場合には、封入物２５は長手方向に巻き三ツ折に折られる。
【００２３】
そして、封筒２０より大きい封入物２５は封入物折り装置３８で折られた後で、また封筒２０より形状の小さい封入物２５は封入物折り装置３８で折られることなく、封入物集積手段３９に搬送される。
封入物集積手段３９は、同一の顧客に対する封入物２５をまとめて封入物集積体２６を形成させるグルーピング装置３９ａと、形成した封入物集積体２６を搬送する集積体搬送装置３９ｂと、ロール紙１０から作製できない小冊子等の同封物２７を保管する同封物保管装置３９ｃと、保管された同封物２７を運搬する同封物搬送装置３９ｄと、形成された封入物集積体２６に同封物２７を追加する集積装置３９ｅとで構成される。
同封物２７を追加された封入物集積体２６は、封入物コード読み取り予備手段３７ｂにより、封入物２５に印刷された封入物コード２５ｂを確認のため再度読み取られる。
なお、この封入物コード読み取り予備手段３７ｂによる封入物コード２５ｂの読み取りは、省略してもよい。
【００２４】
一方、封筒搬送ライン４５ａでは、制御装置は、作製された封筒２０に印刷された封筒コード１２ｂを封筒コード読み取り手段３５に読み取らせる。
読み取られた封筒コード１２ｂの情報が制御装置に送信されると、制御装置は、封筒コード１２ｂに含まれる封筒を特定する封筒情報を認識し、封筒２０に封入する封入物集積体２６を特定する。
そして、封筒コード１２ｂを読み取られた封筒２０と、封入物コード２５ｂを読み取られた封入物集積体２６は、封入封緘手段４２に搬送される。
封入封緘手段４２は、封筒２０の中に封筒情報から特定された封入物集積体２６を封入する封入装置４２ａと、封入物集積体２６を封入された封筒２０のトップフラップ２０ｄを糊付けし、さらにトップフラップ２０ｄを折り曲げて封書２８を作製する封緘装置４２ｂとで構成される。
【００２５】
つづいて封書作製装置３０を使用して封書２８を作製する方法について説明する。図５は本実施形態の封書作製方法を説明するフローチャートである。
まずステップＳ１０の第一の印刷工程において、制御装置はロール紙供給・印刷装置３１ｂによりロール紙１０を連続的に引き出しながら、顧客宛名１２ａと封筒コード１２ｂを組にした封筒印刷情報１２ｃと、顧客に伝達する伝達情報２５ａと封入物コード２５ｂを組にした封入物印刷情報２５ｃを、同一の顧客に対する封筒印刷情報１２ｃと封入物印刷情報２５ｃが長手方向に連続するように印刷させる。そしてステップＳ２０に移行する。
【００２６】
つぎにステップＳ２０の第一の切断手段工程において、制御装置はシートカット装置３２ａによりロール紙１０を幅方向にカットさせ、さらに仕分け装置３２ｂにより封筒作製用紙１２を封筒搬送ライン４５ａに、封入物２５を封入物搬送ライン４５ｂに仕分けさせ、ステップＳ３０及びステップＳ４０に移行する。
【００２７】
ステップＳ３０の封筒作製工程において、制御装置は封筒作製用紙１２を、封筒型枠ダイカット装置３４ａにより封筒展開形状２０ａに切り落とさせ、フラップ用筋入装置３４ｂにより各フラップを曲げるための筋を入れさせ、サイドフラップ折り装置３４ｃによりサイドフラップ２０ｂを内側に折り曲げさせる。さらにサイドフラップ糊付け装置３４ｄにより折り曲げたサイドフラップ２０ｂに糊を付けさせ、ボトムフラップ折り装置３４ｅで糊を付けされたサイドフラップ２０ｂにボトムフラップ２０ｃを折り曲げて貼りつけさせて封筒２０を作製させ、ステップＳ３２に移行する。
【００２８】
ステップＳ３２の封筒コード読み取り工程において、制御装置は封筒コード読み取り手段３５により封筒２０に印刷された封筒コード１２ｂを読み取らせ、封筒コード１２ｂの情報を制御装置に送信させる。制御装置は、封筒コード１２ｂに含まれる封筒を特定する封筒情報を認識し、封筒２０に封入する封入物集積体２６を特定してステップＳ５０に移行する。
【００２９】
一方、ステップＳ４０の封入物コード読み取り工程において、制御装置は封入物コード読み取り手段３７により封入物２５に印刷された封入物コード２５ｂを読み取らせ、封入物コード２５ｂの情報を制御装置に送信させる。制御装置は、封入物コード２５ｂに含まれる封入物集積体を特定する封入物集積体情報と、封筒を特定する封筒情報を認識し、封入物２５がまとめられる封入物集積体２６と、封入物集積体２６が封入される封筒２０を特定して、ステップＳ４２に移行する。
【００３０】
つぎにステップＳ４２の封入物整形工程において、制御装置は封入物折り装置３８により封筒２０より大きい封入物２５を二ツ折や巻き三ツ折に折らせ、ステップＳ４４に移行する。
そしてステップＳ４４の封入物集積工程において、制御装置はグルーピング装置３９ａにより同一の顧客に対する封入物２５ごとにまとめて封入物集積体２６が形成させ、集積体搬送装置３９ｂで搬送させる。
【００３１】
最後にステップＳ５０の封入封緘工程において、制御装置は封入装置４２ａにより封筒２０の中に封筒情報から特定した封入物集積体２６を封入させ、さらに封緘装置４２ｂで封筒２０のトップフラップ２０ｄを折り曲げて糊付けして封をさせ、封書２８を作製させる。
【００３２】
こうして本発明の第１実施形態に係る封書作製装置及び封書作製方法によれば、封筒２０に印刷された封筒コード１２ｂと封入物２５に印刷された封入物コード２５ｂを対応づけて封入物集積体２６を封筒２０に封入するので、誤封入を低減させることができる。
また封筒２０に顧客宛名１２ａを印刷するので、窓開き封筒を使用して封入物２５に表示される顧客宛名１２ａを外部から視認可能にする必要がなく、封筒２０に封入される封入物２５の秘密を守ることができる。
さらに前述した封入物コード２５ｂには封入物集積情報と封筒情報が含まれ、封筒コード１２ｂには封筒情報が含まれる。制御装置は、この封入物集積情報で同一顧客に配送する封入物２５を特定して封入物集積体２６を形成させ、さらに封筒情報で封入物集積体２６を封入させる封筒２０を特定するので、封入物２５の漏れや誤封入を低減させることができる。
【００３３】
ロール紙１０を印刷したり加工したりして封筒２０と封入物２５を作製しているので、封筒２０や封入物２５の保管や在庫数管理が不要になる。
また、封筒１０とその封筒１０に封入される封入物２５を連続して印刷して、封筒１０が作製される顧客順に封入物２５や封入物集積体２６も作製されるので、誤封入をさらに低減させることができる。
さらに封入物２５が封筒１０より大きい場合には、封入物搬送ラインで封入物２５を封筒１０に入る大きさに折ってから封入物集積体２６を形成させる。これにより様々な大きさの封入物２５を封筒１０に封入することができる。
【００３４】
図６は本発明の封書作製装置の第２実施形態の工程を示す説明図である。なお説明の便宜上、本発明の第２実施形態において、前述の第１実施形態で説明した構成要素と同一の構成要素については同一符号を付して、その説明を省略する。
【００３５】
第２実施形態と第１実施形態との異なる点は、第１実施形態では、封書作製装置３０は、ロール紙１０に封筒コード１２ｂや封入物コード２５ｂ等を印刷する第一の印刷手段３１と、印刷されたロール紙１０を切って封筒２０を作製するための封筒作製用紙１２と封筒２０に封入する封入物２５を作製する第一の切断手段３２とを備えている。
これに替わって第２実施形態では、封書作製装置３０は、第一の連続紙であるロール紙１０に封筒コード１２ｂ等を印刷する第二の印刷手段４７と、印刷されたロール紙１０を切断して封筒２０を作製するための封筒作製用紙１２を作製する第二の切断手段と、ロール紙１０とは紙幅の異なる第二の連続紙であるロール紙１１に封入物コード２５ｂ等を印刷する第三の印刷手段４８と、印刷されたロール紙１１を切断して封入物２５を作製する第三の切断手段とを備えている点である。
【００３６】
すなわち第１実施形態では、一巻のロール紙１０から封筒作製用紙１２と封入物２５が作製されるのに対し、第２実施形態では、互いに紙幅の異なる二巻のロール紙１０とロール紙１１から封筒作製用紙１２と封入物２５がそれぞれ作製される。
なお前述した以降の手段、すなわち図１の封筒型枠ダイカット装置３４ａから始まる封筒作製手段３４以降の手段、及び図２のグルーピング装置３９ａから始まる封入物集積手段３９以降の手段は、第２実施形態は第１実施形態と同一となる。
【００３７】
図６に示すように、第二の印刷手段４７は、第一の連続紙であるロール紙１０を回転可能に支持するロール紙支持装置４７ａと、ロール紙１０を連続的に引き出しながらロール紙１０の長手方向に印刷するロール紙供給・印刷装置４７ｂとで構成される。
一方、第三の印刷手段４８も同様に、第二の連続紙であるロール紙１１を回転可能に支持するロール紙支持装置４８ａと、ロール紙１１を連続的に引き出しながらロール紙１１の長手方向に印刷するロール紙供給・印刷装置４８ｂとで構成される。
【００３８】
図７はロール紙供給・印刷装置４７ｂで印刷された後の第一の連続紙であるロール紙１０の説明図である。
制御装置はロール紙供給・印刷装置４７ｂに、図３に示す第１実施形態では封筒印刷情報１２ｃと封入物印刷情報２５ｃをロール紙１０に印刷させたが、図７に示す第２実施形態では封筒印刷情報１２ｃのみ印刷させる。そして第二の切断手段であるシートカット装置５２に、ロール紙１０の長手方向の２８０ｍｍの長さ毎に切断させて、２８０ｍｍ×２９７ｍｍの封筒作製用紙１２を連続して作製させ、作製させた封筒作製用紙１２を封筒搬送ライン４５ａの封筒作製手段３４に搬送させる。
【００３９】
一方図８はロール紙供給・印刷装置４８ｂで印刷された後の第二の連続紙であるロール紙１１の説明図である。
制御装置はロール紙供給・印刷装置４８ｂに、封入物印刷情報２５ｃのみをロール紙１１に印刷させる。そして第三の切断手段であるシートカット装置５３に、ロール紙１１の長手方向の２９７ｍｍの長さで切断させて、２９７ｍｍ×４２０ｍｍのＡ３型の封入物２５を作製させ、作製させた封入物２５を封入物搬送ライン４５ｂの封入物コード読み取り手段３７に搬送させる。
なお、シートカット装置５３に、ロール紙１１の長手方向５９４ｍｍで切断させることにより４２０ｍｍ×５９４ｍｍのＡ２型の封入物２５を、Ａ３型の封入物２５をロール紙１１の長手方向に半分に切断させることにより２１０ｍｍ×２９７ｍｍのＡ４型の封入物２５を作製させることもできる。
【００４０】
上述したように制御装置は、封入物２５に印刷された封入物コード２５ｂを、封入物コード読み取り手段３７に読み取らせ、封入物コード２５ｂに含まれる封入物集積体を特定する封入物集積体情報と、封筒を特定する封筒情報を認識し、封入物２５がまとめられる封入物集積体２６と、封入物２５が封入される封筒２０を特定する。さらに封入物２５を封入物折り装置５５に搬送させる。
封入物整形手段である封入物折り装置５５は、Ａ３型の封入物２５が封筒２０に入る大きさに折れるように、封入物２５を一度長手方向に半分に折ってから巻き三ツ折に折り、折った封入物２５を封入物集積手段３９に搬送する。
これ以降は、本発明の封書作製装置３０の第１実施形態と同一なので説明を省略する。
【００４１】
つづいて本発明の封書作製装置の第２実施形態を使用して封書２８を作製する方法について説明する。図９は第２実施形態の封書作製方法を説明するフローチャートである。
まずステップＳ１２の第二の印刷工程において、制御装置はロール紙供給・印刷装置４７ｂによりによりロール紙１０を連続的に引き出させながら、顧客宛名１２ａと封筒コード１２ｂを組にした封筒印刷情報１２ｃを印刷させ、ステップＳ２２に移行する。
つぎにステップＳ２２の第二の切断手段工程において、制御装置はシートカット装置５２によりロール紙１０を幅方向にカットさせて封筒作製用紙１２を作製し、封筒搬送ライン４５ａに搬入させ、ステップＳ３０に移行する。
【００４２】
一方ステップＳ１４の第三の印刷工程において、制御装置はロール紙供給・印刷装置４８ｂによりによりロール紙１１を連続的に引き出させながら、伝達情報２５ａと封入物コード２５ｂを組にした封入物印刷情報２５ｃを印刷させ、ステップＳ２４に移行する。
つぎにステップＳ２４の第三の切断手段工程において、制御装置はシートカット装置５３によりロール紙１１を幅方向にカットさせて封入物２５を作製し、封入物搬送ライン４５ｂに搬入させ、ステップＳ４０に移行する。
これ以降は、本発明の封書作製方法の第１実施形態と同一なので説明を省略する。
【００４３】
こうして本発明の第２実施形態に係る封書作製装置及び封書作製方法によれば、紙幅の異なる二種類の連続紙であるロール紙１０とロール紙１１が使えるので、様々な大きさの封入物２５に対応できる。
【００４４】
以上、本発明の実施形態について図面を参照して詳述したが、具体的な構成はこの実施形態に限られるものではなく、本発明の要旨を逸脱しない範囲の設計変更等も含まれる。
【００４５】
上記第１実施形態では、連続紙から封筒印刷情報１２ｃが印刷された封筒２０と、封入物印刷情報２５ｃが印刷された封入物２５を作製した。しかし、予め封筒印刷情報１２ｃを印刷した既成の封筒を封書作製装置３０の封筒搬送ライン４５ａに配置してもよいし、予め封入物印刷情報２５ｃ印刷した封入物２５を封書作製装置３０の封入物搬送ライン４５ｂに配置してもよい。
【００４６】
また第１実施形態では、封入物２５の大きさをＡ４型としたが、ロール紙１０の紙幅が２９７ｍｍあるので、Ａ列本判ではＡ３型やＡ５型等のＡ３型より小さい規格としてもよい。同様に第２実施形態では、封入物２５の大きさをＡ３型としたが、ロール紙１１の紙幅が４２０ｍｍあるので、Ａ列本判ではＡ２型やＡ４型等のＡ２型より小さい規格としてもよい。
また第１実施形態ではロール紙１０の紙幅が２９７ｍｍ、第２実施形態ではロール紙１０の紙幅が２９７ｍｍでロール紙１１の紙幅が４２０ｍｍとした。しかし第１実施形態では、ロール紙１０の紙幅は任意の値に設定してよい。また第２実施形態では、ロール紙１０の紙幅は任意の値に設定してよいし、ロール紙１１の紙幅はロール紙１０の紙幅と異なる任意の値に設定してよい。
【００４７】
また第２実施形態では、ロール紙１１のみから封入物２５を作製したが、ロール紙１１だけでなくロール紙１０からも封入物２５を作製してもよい。
さらに第２実施形態では、封書作製装置３０を紙幅の異なる二種類の連続紙が使用できる構成にしたが、紙幅の異なる三種類の連続紙が使用できる構成にしてもよい。ただし使用できる連続紙の種類が多すぎると封書作製装置３０が大型化してしまうので、使用できる連続紙の種類は五種類以下が好ましい。
【符号の説明】
【００４８】
１０  ロール紙（第一の連続紙）
１１  ロール紙（第二の連続紙）
１２  封筒作製用紙
１２ａ  顧客宛名
１２ｂ  封筒コード
１２ｃ  封筒印刷情報
２０  封筒
２５  封入物
２５ａ  伝達情報
２５ｂ  封入物コード
２５ｃ  封入物印刷情報
２６  封入物集積体
２８  封書
３０  封書作製装置
３１  第一の印刷手段
３２  第一の切断手段
３４  封筒作製手段
３５  封筒コード読み取り手段
３７  封入物コード読み取り手段
３８、５５  封入物折り装置（封入物整形手段手段）
３９  封入物集積手段
４２  封入封緘手段
４５ａ  封筒搬送ライン
４５ｂ  封入物搬送ライン
４７  第二の印刷手段
４８  第三の印刷手段
５２  シートカット装置（第二の切断手段）
５３  シートカット装置（第三の切断手段）
【図１】
2011161933.tif 000003
【図２】
2011161933.tif 000004
【図３】
2011161933.tif 000005
【図４】
2011161933.tif 000006
【図５】
2011161933.tif 000007
【図６】
2011161933.tif 000008
【図７】
2011161933.tif 000009
【図８】
2011161933.tif 000010
【図９】
2011161933.tif 000011